【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
光をユーザの眼に投影し、拡張現実画像コンテンツを前記ユーザの視野内に表示するように構成される頭部搭載型ディスプレイシステムであって、前記頭部搭載型ディスプレイシステムは、
前記ユーザの頭部上に支持されるように構成されるフレームと、
前記フレーム上に配置される接眼レンズであって、前記接眼レンズの少なくとも一部は、透明であり、前記透明部分が、前記ユーザの正面の環境からの光をユーザの眼に透過させ、前記ユーザの正面の環境のビューを提供するように、前記ユーザが前記頭部搭載型ディスプレイを装着すると、前記ユーザの眼の正面の場所に配置される、接眼レンズと
を備え、
前記接眼レンズは、複数のエミッタを備える透明発光型ディスプレイを備え、前記透明発光型ディスプレイは、透明伝導性材料を備える電極を備え、前記透明発光型ディスプレイは、光を前記ユーザの眼の中に放出し、拡張現実画像コンテンツをユーザの視野に表示するように構成され、前記透明発光型ディスプレイは、ある面積にわたって透明であり、かつ、発光し、前記透明発光型ディスプレイは、前記透明発光型ディスプレイが、前記ユーザの正面の環境からの光を透明発光型エリアを通してユーザの眼に透過させ、前記ユーザの正面の環境のビューを提供するように、前記ユーザが前記頭部搭載型ディスプレイを装着すると、前記ユーザの眼の正面の場所に配置される、頭部搭載型ディスプレイシステム。
【請求項２】
前記透明発光型ディスプレイは、有機発光ダイオード（ＯＬＥＤ）ディスプレイを備える、請求項１に記載のシステム。
【請求項３】
近位レンズアレイをさらに備え、前記近位レンズアレイは、前記近位レンズアレイが、前記透明発光型ディスプレイと前記ユーザの眼との間にあるように、前記透明発光型ディスプレイの近位側上に配置される、請求項１または２に記載のシステム。
【請求項４】
前記近位レンズアレイは、前記透明発光型ディスプレイによって放出される光の発散を低減させるように構成される、請求項３に記載のシステム。
【請求項５】
前記近位レンズアレイは、正の屈折力を有するレンズを備える、請求項３または４に記載のシステム。
【請求項６】
前記近位レンズアレイは、前記透明発光型ディスプレイによって放出される光をコリメートするように構成される、請求項３−５のいずれかに記載のシステム。
【請求項７】
前記近位レンズアレイは、前記エミッタからある焦点距離に配置される正の屈折力を有するレンズを備える、請求項６に記載のシステム。
【請求項８】
遠位レンズアレイをさらに備え、前記遠位レンズアレイは、前記遠位レンズアレイが、前記透明発光型ディスプレイと前記ユーザの正面の環境との間にあるように、前記近位側の反対の前記透明発光型ディスプレイ遠位側上に配置される、請求項３−７のいずれかに記載のシステム。
【請求項９】
前記遠位レンズアレイは、前記近位レンズアレイによって導入される屈折力を相殺し、前記ユーザの正面の環境のビューに及ぼされる前記近位レンズアレイの屈折効果を低減させるための屈折力を有する、請求項８に記載のシステム。
【請求項１０】
近位可変焦点光学要素をさらに備え、前記近位可変焦点光学要素は、前記近位可変焦点光学要素が、前記透明発光型ディスプレイと前記ユーザの眼との間にあるように、前記透明発光型ディスプレイの近位側上に配置される、上記請求項のいずれかに記載のシステム。
【請求項１１】
前記近位可変焦点光学要素は、可変焦点光学要素の状態および可変焦点光学要素の焦点を改変するための電気信号を受信するように構成される電気入力を有する、請求項１０に記載のシステム。
【請求項１２】
前記近位可変焦点光学要素は、前記発光型ディスプレイから放出される光の発散を改変し、異なる画像コンテンツを前記接眼レンズの正面の異なる距離から放出されるかのように現れさせるように構成される、請求項１０または１１に記載のシステム。
【請求項１３】
前記近位可変焦点光学要素は、異なる負の屈折力を導入し、前記透明発光型ディスプレイからの光の発散を変動させる２つの状態間で変動するように構成される、請求項１０−１２のいずれかに記載のシステム。
【請求項１４】
前記近位可変焦点光学要素は、１つの状態にあるとき、前記透明発光型ディスプレイからの光をコリメートするように構成される、請求項１０または１１に記載のシステム。
【請求項１５】
遠位可変焦点光学要素をさらに備え、前記遠位可変焦点光学要素は、前記遠位可変焦点光学要素が、前記透明発光型ディスプレイと前記ユーザの正面の環境との間にあるように、前記透明発光型ディスプレイの遠位側上に配置される、請求項１０−１４のいずれかに記載のシステム。
【請求項１６】
前記遠位可変焦点光学要素は、前記遠位可変焦点光学要素の状態および前記遠位可変焦点光学要素の焦点を改変するための電気信号を受信するように構成される電気入力を有する、請求項１５に記載のシステム。
【請求項１７】
前記遠位可変焦点光学要素は、前記近位可変焦点光学要素によって導入される屈折力を相殺するための屈折力を提供し、前記ユーザの正面の環境のビューに及ぼされる前記近位可変焦点光学要素の屈折効果を低減させるように構成される、請求項１５または１６に記載のシステム。
【請求項１８】
少なくとも１つのオクルーダをさらに備え、前記少なくとも１つのオクルーダは、前記少なくとも１つのオクルーダが、前記透明発光型ディスプレイと前記ユーザの眼との間にあるように、前記透明発光型ディスプレイの近位側上に配置される、請求項１０−１７のいずれかに記載のシステム。
【請求項１９】
前記少なくとも１つのオクルーダは、それぞれ、複数のピクセルを含む、第１および第２の空間光変調器を備え、前記第１および第２の空間光変調器は、前記ピクセルの透過性状態を選択的に改変するための電気信号を受信するように構成される電気入力を有する、請求項１８に記載のシステム。
【請求項２０】
電子機器をさらに備え、前記電子機器は、前記透明発光型ディスプレイのあるエミッタから放出されるある角度方向の光が、前記第１の空間光変調器の透過性ピクセルおよび前記第２の空間光変調器の透過性ピクセルの両方を通して伝搬するように、前記第１および第２の空間光変調器の前記電気入力に電気的に結合され、前記第１の空間光変調器上の１つ以上のピクセルを周囲ピクセルが不透明である間に透過性にさせ、前記第２の空間光変調器上の前記ピクセルのうちの１つ以上のものを前記第２の空間光変調器上の周囲ピクセルが不透明である間に透過性にさせる、請求項１９に記載のシステム。
【手続補正２】
【補正対象書類名】明細書
【補正対象項目名】０１３３
【補正方法】変更
【補正の内容】
【０１３３】
実施例２８：少なくとも１つのプロセッサは、第１および第２の可変焦点レンズアセンブリを、第１および第２の可変焦点レンズアセンブリが、実質的に一定正味屈折力をそれを通して通過する周囲環境からの周囲光に付与するように、異なる状態間で同期して切り替えさせるように構成される、実施例２７に記載のディスプレイシステム。
本願明細書は、例えば、以下の項目も提供する。
（項目１）
光をユーザの眼に投影し、拡張現実画像コンテンツを前記ユーザの視野内に表示するように構成される頭部搭載型ディスプレイシステムであって、前記頭部搭載型ディスプレイシステムは、
前記ユーザの頭部上に支持されるように構成されるフレームと、
前記フレーム上に配置される接眼レンズであって、前記接眼レンズの少なくとも一部は、透明であり、前記透明部分が、前記ユーザの正面の環境からの光をユーザの眼に透過させ、前記ユーザの正面の環境のビューを提供するように、前記ユーザが前記頭部搭載型ディスプレイを装着すると、前記ユーザの眼の正面の場所に配置される、接眼レンズと
を備え、
前記接眼レンズは、複数のエミッタを備える透明発光型ディスプレイを備え、前記透明発光型ディスプレイは、光を前記ユーザの眼の中に放出し、拡張現実画像コンテンツをユーザの視野に表示するように構成され、前記透明発光型ディスプレイは、ある面積にわたって透明であり、かつ、発光し、前記透明発光型ディスプレイは、前記透明発光型ディスプレイが、前記ユーザの正面の環境からの光を透明発光型エリアを通してユーザの眼に透過させ、前記ユーザの正面の環境のビューを提供するように、前記ユーザが前記頭部搭載型ディスプレイを装着すると、前記ユーザの眼の正面の場所に配置される、頭部搭載型ディスプレイシステム。
（項目２）
前記透明発光型ディスプレイは、有機発光ダイオード（ＯＬＥＤ）ディスプレイを備える、項目１に記載のシステム。
（項目３）
近位レンズアレイをさらに備え、前記近位レンズアレイは、前記近位レンズアレイが、前記透明発光型ディスプレイと前記ユーザの眼との間にあるように、前記透明発光型ディスプレイの近位側上に配置される、項目１または２に記載のシステム。
（項目４）
前記近位レンズアレイは、前記透明発光型ディスプレイによって放出される光の発散を低減させるように構成される、項目３に記載のシステム。
（項目５）
前記近位レンズアレイは、正の屈折力を有するレンズを備える、項目３または４に記載のシステム。
（項目６）
前記近位レンズアレイは、前記透明発光型ディスプレイによって放出される光をコリメートするように構成される、項目３−５のいずれかに記載のシステム。
（項目７）
前記近位レンズアレイは、前記エミッタからある焦点距離に配置される正の屈折力を有するレンズを備える、項目６に記載のシステム。
（項目８）
遠位レンズアレイをさらに備え、前記遠位レンズアレイは、前記遠位レンズアレイが、前記透明発光型ディスプレイと前記ユーザの正面の環境との間にあるように、前記近位側の反対の前記透明発光型ディスプレイ遠位側上に配置される、項目３−７のいずれかに記載のシステム。
（項目９）
前記遠位レンズアレイは、前記近位レンズアレイによって導入される屈折力を相殺し、前記ユーザの正面の環境のビューに及ぼされる前記近位レンズアレイの屈折効果を低減させるための屈折力を有する、項目８に記載のシステム。
（項目１０）
近位可変焦点光学要素をさらに備え、前記近位可変焦点光学要素は、前記近位可変焦点光学要素が、前記透明発光型ディスプレイと前記ユーザの眼との間にあるように、前記透明発光型ディスプレイの近位側上に配置される、上記項目のいずれかに記載のシステム。
（項目１１）
前記近位可変焦点光学要素は、可変焦点光学要素の状態および可変焦点光学要素の焦点を改変するための電気信号を受信するように構成される電気入力を有する、項目１０に記載のシステム。
（項目１２）
前記近位可変焦点光学要素は、前記発光型ディスプレイから放出される光の発散を改変し、異なる画像コンテンツを前記接眼レンズの正面の異なる距離から放出されるかのように現れさせるように構成される、項目１０または１１に記載のシステム。
（項目１３）
前記近位可変焦点光学要素は、異なる負の屈折力を導入し、前記透明発光型ディスプレイからの光の発散を変動させる２つの状態間で変動するように構成される、項目１０−１２のいずれかに記載のシステム。
（項目１４）
前記近位可変焦点光学要素は、１つの状態にあるとき、前記透明発光型ディスプレイからの光をコリメートするように構成される、項目１０または１１に記載のシステム。
（項目１５）
遠位可変焦点光学要素をさらに備え、前記遠位可変焦点光学要素は、前記遠位可変焦点光学要素が、前記透明発光型ディスプレイと前記ユーザの正面の環境との間にあるように、前記透明発光型ディスプレイの遠位側上に配置される、項目１０−１４のいずれかに記載のシステム。
（項目１６）
前記遠位可変焦点光学要素は、前記遠位可変焦点光学要素の状態および前記遠位可変焦点光学要素の焦点を改変するための電気信号を受信するように構成される電気入力を有する、項目１５に記載のシステム。
（項目１７）
前記遠位可変焦点光学要素は、前記近位可変焦点光学要素によって導入される屈折力を相殺するための屈折力を提供し、前記ユーザの正面の環境のビューに及ぼされる前記近位可変焦点光学要素の屈折効果を低減させるように構成される、項目１５または１６に記載のシステム。
（項目１８）
少なくとも１つのオクルーダをさらに備え、前記少なくとも１つのオクルーダは、前記少なくとも１つのオクルーダが、前記透明発光型ディスプレイと前記ユーザの眼との間にあるように、前記透明発光型ディスプレイの近位側上に配置される、項目１０−１７のいずれかに記載のシステム。
（項目１９）
前記少なくとも１つのオクルーダは、それぞれ、複数のピクセルを含む、第１および第２の空間光変調器を備え、前記第１および第２の空間光変調器は、前記ピクセルの透過性状態を選択的に改変するための電気信号を受信するように構成される電気入力を有する、項目１８に記載のシステム。
（項目２０）
電子機器をさらに備え、前記電子機器は、前記透明発光型ディスプレイのあるエミッタから放出されるある角度方向の光が、前記第１の空間光変調器の透過性ピクセルおよび前記第２の空間光変調器の透過性ピクセルの両方を通して伝搬するように、前記第１および第２の空間光変調器の前記電気入力に電気的に結合され、前記第１の空間光変調器上の１つ以上のピクセルを周囲ピクセルが不透明である間に透過性にさせ、前記第２の空間光変調器上の前記ピクセルのうちの１つ以上のものを前記第２の空間光変調器上の周囲ピクセルが不透明である間に透過性にさせる、項目１９に記載のシステム。